(57)【要約】【課題】ボビンの取り替えを容易にしながら落下を確実に防止する。【解決手段】設置状態で突き当て杆１の係合面２ａと什器本体Ａの固定面Ａ２とを、該突き当て杆１が長尺物Ｃの引き出し方向へ移動不能となるように圧接させることにより、長尺物Ｃの引き出しに伴いボビンＢが転がっても移動不能に支えられ、また突き当て杆１を下方向へ移動させた非設置状態では、ボビンＢの長尺物Ｃの引き出し方向にボビン交換用開口部Ｓを形成することにより、ボビンＢを持ち上げなくても突き当て杆１と接触せずに取り出し可能となる。【選択図】      図１
2004203586.tif 000002
【特許請求の範囲】
【請求項１】
長尺物（Ｃ）が巻き付けられたボビン（Ｂ）を、その巻き付け方向へ回転自在に載置して、その回転により長尺物（Ｃ）が引き出し可能に支持され、長尺物（Ｃ）の引き出し方向には、該ボビン（Ｂ）の転がり落下を防止するための突き当て杆（１，１′）を、ボビン（Ｂ）の支持部（Ａ１）より高い位置に横設した長尺物ボビン用什器において、
前記突き当て杆（１，１′）を什器本体（Ａ）に対して上下方向へ移動自在に支持し、この突き当て杆（１，１′）に什器本体（Ａ）の固定面（Ａ２）と対向する係合面（２ａ）を連設し、突き当て杆（１，１′）の設置状態では、上記係合面（２ａ）と什器本体（Ａ）の固定面（Ａ２）とを、該突き当て杆（１，１′）が長尺物（Ｃ）の引き出し方向へ移動不能となるように圧接させ、また突き当て杆（１，１′）を下方向へ移動させた非設置状態では、ボビン（Ｂ）の長尺物（Ｃ）引き出し方向にボビン交換用開口部（Ｓ）を形成したことを特徴とする長尺物ボビン用什器。
【請求項２】
前記突き当て杆（１，１′）を、長孔（３ａ）とそれに移動自在に挿通された支軸（３ｂ）からなる接続手段（３）で上下方向へ往復動自在に支持し、この長孔（３ａ）に沿って突き当て杆（１，１′）を下方向へ直線移動した設置状態で、該突き当て杆（１，１′）の係合面（２ａ）と什器本体（Ａ）の固定面（Ａ２）とを、該突き当て杆（１，１′）が長尺物（Ｃ）の引き出し方向へ移動不能となるように圧接させ、また突き当て杆（１，１′）を上限位置まで直線移動させた状態で、係合面（２ａ）の下端部に連続形成された円弧面（２ｂ）に沿って突き当て杆（１，１′）を上下方向へ回動自在に支持すると共に、下方への回動により突き当て杆（１，１′）を下限位置へ移動させてボビン交換用開口部（Ｓ）を開口させた請求項１記載の長尺物ボビン用什器。
【発明の詳細な説明】
【０００１】
【発明の属する技術分野】
本発明は、例えばホースや線材などの可撓性を有する長尺物が巻き付けられたボビンを出し入れ自在に在庫管理すると共に、そこから長尺物を所望の長さずつ切り売りするため、このボビンを回転可能に陳列した長尺物ボビン用什器に関する。
詳しくは、長尺物が巻き付けられたボビンを、その巻き付け方向へ回転自在に載置して、その回転により長尺物が必要長さ分だけ引き出し可能に支持され、長尺物の引き出し方向には、該ボビンの転がり落下を防止するための突き当て杆を、ボビンの支持部より高い位置に横設した長尺物ボビン用什器に関する。
【０００２】
【従来の技術】
従来、この種の長尺物ボビン用什器として、芯棒とそれに回転自在に嵌め込まれた筒状体からなる棒状体を２本横設し、これら棒状体に亘りボビン（ホルダー）を載置して回転自在に支持され、その上方前方側には、１本の棒状体が着脱自在に設置されて、ボビンの転がり落下を防止するための突き当て杆としたものがある（例えば、特許文献１参照。）。
【０００３】
【特許文献１】
実開昭６３−１１０４６０号公報（第１頁、第１−４図）
【０００４】
【発明が解決しようとする課題】
しかし乍ら、このような従来の長尺物ボビン用什器では、ボビンの取り替え時に突き当て杆が邪魔となるため、その都度、突き当て杆を取外すと共に取り替え後には取り付け直す必要があってその作業が面倒であるというという問題がある。
また、突き当て杆を取外さない場合は、それよりボビンを高く持ち上げなければならず、什器本体がボビンを上下方向へ複数段陳列する場合には、上下段の間隔を大きく設計せざるを得ず、スペースを有効利用できず、什器本体が大型化してコスト高となるという問題がある。
【０００５】
本発明のうち請求項１記載の発明は、ボビンの取り替えを容易にしながら落下を確実に防止することを目的としたものである。
請求項２記載の発明は、請求項１に記載の発明の目的に加えて、不用意にボビン交換用開口部が開口するのを防止することを目的としたものである。
【０００６】
【課題を解決するための手段】
前述した目的を達成するために、本発明のうち請求項１記載の発明は、突き当て杆１，１′を什器本体Ａに対して上下方向へ移動自在に支持し、この突き当て杆１，１′に什器本体Ａの固定面Ａ２と対向する係合面２ａを連設し、突き当て杆１，１′の設置状態では、上記係合面２ａと什器本体Ａの固定面Ａ２とを、該突き当て杆１，１′が長尺物Ｃの引き出し方向へ移動不能となるように圧接させ、また突き当て杆１，１′を下方向へ移動させた非設置状態では、ボビンＢの長尺物Ｃ引き出し方向にボビン交換用開口部Ｓを形成したことを特徴とするものである。
請求項２記載の発明は、請求項１記載の発明の構成に、前記突き当て杆１，１′を、長孔３ａとそれに移動自在に挿通された支軸３ｂからなる接続手段３で上下方向へ往復動自在に支持し、この長孔３ａに沿って突き当て杆１，１′を下方向へ直線移動した設置状態で、該突き当て杆１，１′の係合面２ａと什器本体Ａの固定面Ａ２とを、該突き当て杆１，１′が長尺物Ｃの引き出し方向へ移動不能となるように圧接させ、また突き当て杆１，１′を上限位置まで直線移動させた状態で、係合面２ａの下端部に連続形成された円弧面２ｂに沿って突き当て杆１，１′を上下方向へ回動自在に支持すると共に、下方への回動により突き当て杆１，１′を下限位置へ移動させてボビン交換用開口部Ｓを開口させた構成を加えたことを特徴とする。
【０００７】
【作用】
請求項１の発明は、設置状態で突き当て杆１，１′の係合面２ａと什器本体Ａの固定面Ａ２とを、該突き当て杆１，１′が長尺物Ｃの引き出し方向へ移動不能となるように圧接させることにより、長尺物Ｃの引き出しに伴いボビンＢが転がって、突き当て杆１，１′に荷重がかかっても移動不能に支えられ、また突き当て杆１，１′を下方向へ移動させた非設置状態では、ボビンＢの長尺物Ｃの引き出し方向にボビン交換用開口部Ｓを形成することにより、ボビンＢを持ち上げなくても突き当て杆１，１′と接触せずに取り出し可能となるものである。
請求項２の発明は、請求項１記載の発明の作用に加えて、突き当て杆１，１′を長孔３ａに沿って下方向へ直線移動した設置状態で、突き当て杆１，１′の係合面２ａと什器本体Ａの固定面Ａ２とを、該突き当て杆１，１′が長尺物Ｃの引き出し方向へ移動不能となるように圧接させることにより、突き当て杆１，１′の自重でそれが例えば振動などに伴い自然に浮き上がらないと共に、係合面２ａの下端部に連続形成された円弧面２ｂに沿って突き当て杆１，１′が下方へ回動せず、下限位置まで下降しない。
【０００８】
【発明の実施の形態】
以下、本発明の実施例を図面に基づいて説明する。
この実施例は、図１〜図４に示す如く、長尺物ボビン用什器の什器本体Ａが、合成樹脂又は段ボールなどからなるボビンＢの支持部Ａ１を上下方向へ複数段、図示例の場合には二段配設し、これら支持部Ａ１を平行な前後一対の支持軸４，４で構成して、夫々にボビンＢを左右方向へ複数個載置して陳列すると共に、各ボビンＢに巻き付けた長尺物Ｃとしてホースが必要長さ分だけ前方へ引き出される場合を示すものである。
【０００９】
上記什器本体Ａの各支持部Ａ１には、長尺物Ｃの引き出し方向に、ボビンＢの転がり落下を防止するための突き当て杆１が、各支持軸４，４より高い位置に横設される。
【００１０】
上記突き当て杆１は、什器本体Ａに対して上下方向へ移動自在に支持され、その什器本体Ａ側に什器本体Ａの固定面Ａ２と対向する係合面２ａを連設し、その設置状態では、上記係合面２ａと什器本体Ａの固定面Ａ２とを、該突き当て杆１が少なくとも長尺物Ｃの引き出し方向へ移動不能となるように圧接させ、突き当て杆１を下方向へ移動させた非設置状態では、ボビンＢの長尺物Ｃ引き出し方向にボビン交換用開口部Ｓを形成する。
【００１１】
本実施例の場合には突き当て杆１が棒状体であり、この棒状体を平面コの字形に屈曲形成されたブラケット２の左右両端部２ｃ，２ｃに亘って例えばネジなどで固着し、これら左右両端部２ｃ，２ｃの両端面を什器本体Ａの固定面Ａ２と対向させて係合面２ａとすると共に、この什器本体Ａの固定面Ａ２が支柱の垂直な前面である。
【００１２】
そして、突き当て杆１に連設したブラケット２を、長孔３ａとそれに移動自在に挿通された支軸３ｂからなる接続手段３で上下方向へ往復動自在に支持し、図１及び図３（ａ）に示す如く、この長孔３ａに沿って突き当て杆１及びブラケット２を下方向へ直線移動した設置状態で、該ブラケット２の係合面２ａと什器本体Ａの固定面Ａ２とを、該突き当て杆１が長尺物Ｃの引き出し方向及びそれ以上の下方向へ移動不能となるように圧接させる。
【００１３】
また、突き当て杆１及びブラケット２を上限位置まで直線移動させた状態で、図１及び図３（ｂ）に示す如く、係合面２ａの下端部に連続形成された円弧面２ｂに沿って突き当て杆１及びブラケット２が上下方向へ回動自在に支持され、下方への回動により突き当て杆１を下限位置へ回動させてボビン交換用開口部Ｓを開口させる。
【００１４】
図示例の場合には、図４に示す如く、接続手段３の長孔３ａをブラケット２の左右両端部に夫々縦長状に開穿し、これらブラケット２の左右両端部と対向する支持板３ｃを什器本体Ａの支柱に夫々固着して、この支持板３ｃに突設した例えばネジなど支軸３ｂを長孔３ａ内に上下動自在でしかも回動自在に挿通させ、これら長孔３ａと支軸３ｂの上下往復動により、突き当て杆１の係合面２ａを什器本体Ａの垂直な固定面Ａ２に沿って摺動させている。
【００１５】
更に必要に応じて、長孔３ａ及び支軸３ｂによる突き当て杆１及びブラケット２の上下動及び回動をスムーズに摺動させるために、これら長孔３ａと支軸３ｂと間に、金属製又は合成樹脂製のカラー３ｄを介装しても良い。
【００１６】
また、前記支持部Ａ１を構成する前後一対の支持軸４，４は、図示例の場合、支持軸４，４を例えばネジなどの固着手段４ａで回転不能に横設して、その上に載置されるボビンＢの外周Ｂ１と点接触させることにより、長尺物Ｃの引き出しに伴ってボビンＢが摺動するように支持しているが、これに限定されず、これら支持軸４，４を回転自在に支持しても良い。
【００１７】
更に、これら支持軸４，４は、その上に載置されるボビンＢのサイズ変更に対応して、例えば支持軸４，４のどちらか一方、図示例では後方の支持軸４を着脱自在に取り付けて両者の間隔を前後方向へ調整することにより、径サイズが大きく違う多種類のボビンＢを載置可能にする。
【００１８】
更にまた、前記ブラケット２の左右中間部２ｄの前面には、透明なホルダー５が固着され、このホルダー５には、長尺物Ｃとして巻き付けたホースの価格や特長、使用上の注意などが記載されたプライスカード（図示せず）が交換可能に取り付けられる。
図示例の場合には、図１に示す如く、ブラケット２の左右中間部２ｄを什器本体Ａに対して傾斜させて支持することにより、ホルダー５に取り付けられたプライスカードを見易くしている。
【００１９】
次に、斯かる長尺物ボビン用什器の作動について説明する。
先ず、図１の実線及び図３（ａ）の二点鎖線に示す突き当て杆２の設置状態では、突き当て杆１に連設されたブラケット２の係合面２ａと、什器本体Ａの固定面Ａ２とを、該突き当て杆１が長尺物Ｃの引き出し方向へ移動不能となるように圧接している。
【００２０】
それにより、長尺物Ｃの引き出しに伴いボビンＢが前方へ転がって、突き当て杆１に突き当たり、該ボビンＢの荷重がかかったとしても移動不能に支えられて、ボビンＢが落下しない。
【００２１】
また、この設置状態から図１の二点鎖線及び図３（ｂ）の実線に示す如く、突き当て杆１及びブラケット２を下方向へ回動させた非設置状態では、ボビンＢの長尺物Ｃの引き出し方向にボビン交換用開口部Ｓが形成されて、ボビンＢを持ち上げなくても突き当て杆１と接触せずに取り出し可能となる。
【００２２】
その結果、ボビンＢの取り替えを容易にしながら落下を確実に防止することができる。
特に本実施例の場合には、ブラケット２を下方向へ回動することによって、その左右中央部２ｂとそれに固着したホルダー５が、什器本体Ａの前方に突出せず、安全にボビンＢの取り替えできると共に、設置状態でボビンＢの支持部Ａ１を覆っていたホルダー５が支持軸４の上端部より下方へ退避するため、ボビンＢの取り替えを確実に行える。
【００２３】
更に本実施例の場合には、図３（ａ）の二点鎖線に示す突き当て杆１及びブラケット２を長孔３ａに沿って下方向へ直線移動した設置状態で、突き当て杆１の係合面２ａと什器本体Ａの固定面Ａ２とが、該突き当て杆１が長尺物Ｃの引き出し方向へ移動不能となるように圧接する。
【００２４】
それにより、突き当て杆１及びブラケット２やホルダー５の自重で、それが例えば振動などに伴い自然に浮き上がらないと共に、係合面２ａの下端部に連続形成された円弧面２ｂに沿ってブラケット２及び突き当て杆１が下方へ回動せず、下限位置まで下降しない。
【００２５】
その結果、不用意にボビン交換用開口部Ｓが開口するのを防止できるという利点がある。
【００２６】
一方、図５に示すものは、本発明の他の実施例である。
このものは、前記ブラケット２の左右中間部２ｄの上端縁を係合面２ａへ向け屈曲して、その先端に突き当て杆１′を一体形成した構成が、前記図１〜図４に示した実施例とは異なり、それ以外の構成は図１〜図４に示した実施例と同じものである。
【００２７】
従って、図５に示すものも、図１〜図４に示した実施例と同様な作用効果が得られる。
特に図示例の場合には、ブラケット２の左右中間部２ｄの上端縁と下端縁を夫々屈曲して断面コの字形に一体成形することにより、該左右中間部２ｄの曲げ強度が向上して屈曲変形し難くなると共に、その肉厚寸法を薄くしても屈曲変形し難いからブラケット２全体の軽量化も図れるという利点がある。
【００２８】
尚、前示実施例では、長尺物ボビン用什器の什器本体Ａが、前後一対の支持軸４，４からなる支持部Ａ１を上下方向へ複数段配設したが、これに限定されず、支持部Ａ１を上下方向へ一段だけ配設するなど、他の構造であっても良い。
また、ボビンＢに長尺物Ｃとしてホースを巻き付けたが、これに限定されず、ホース以外の線材などでも良い。
【００２９】
更に、接続手段３をブラケット２の左右両端部に開穿した長孔３ａと、これらブラケット２の左右両端部と対向する支持板３ｃに突設した支軸３ｂとで構成したが、これに限定されず、図示せぬが例えば支持板３ｃに長孔３ａを縦長状に開穿し、ブラケット２の左右両端部の下端部に突設した支軸３ｂを該長孔３ａ内に挿通させても、上述した実施例と同様に作動が得られる。
【００３０】
【発明の効果】
以上説明したように、本発明のうち請求項１記載の発明は、設置状態で突き当て杆１，１′の係合面２ａと什器本体Ａの固定面Ａ２とを、該突き当て杆１，１′が長尺物Ｃの引き出し方向へ移動不能となるように圧接させることにより、長尺物Ｃの引き出しに伴いボビンＢが転がって、突き当て杆１，１′に荷重がかかっても移動不能に支えられ、また突き当て杆１，１′を下方向へ移動させた非設置状態では、ボビンＢの長尺物Ｃの引き出し方向にボビン交換用開口部Ｓを形成することにより、ボビンＢを持ち上げなくても突き当て杆１，１′と接触せずに取り出し可能となるので、ボビンＢの取り替えを容易にしながら落下を確実に防止できる。
従って、ボビンを取り替える度に突き当て杆の着脱作業が必要な従来のものに比べ、ボビンの取り替え作業が楽になって便利であると共に、ボビンを高く持ち上げる必要がないから、什器全体をコンパクト化できてスペースの有効利用及び製造コストの低減が図れる。
【００３１】
請求項２の発明は、請求項１の発明の効果に加えて、突き当て杆１，１′を長孔３ａに沿って下方向へ直線移動した設置状態で、突き当て杆１，１′の係合面２ａと什器本体Ａの固定面Ａ２とを、該突き当て杆１，１′が長尺物Ｃの引き出し方向へ移動不能となるように圧接させることにより、突き当て杆１，１′の自重でそれが例えば振動などに伴い自然に浮き上がらないと共に、係合面２ａの下端部に連続形成された円弧面２ｂに沿って突き当て杆１，１′が下方へ回動せず、下限位置まで下降しないので、不用意にボビン交換用開口部Ｓが開口するのを防止できる。
従って、安全である。
【図面の簡単な説明】
【図１】本発明の一実施例を示す長尺物ボビン用什器の縦断側面図である。
【図２】同正面図である。
【図３】（ａ）（ｂ）は突き当て杆の移動過程を示す部分拡大側面図である。
【図４】図３（ａ）の部分拡大横断平面図である。
【図５】本発明の他の実施例を示す示す長尺物ボビン用什器の縦断側面図である。
【符号の説明】
Ａ  什器本体                      Ａ１  支持部
Ａ２  固定面                      Ｂ  ボビン
Ｃ  長尺物                        Ｓ  ボビン交換用開口部
１，１′  突き当て杆              ２ａ  係合面
２ｂ  円弧面                      ３  接続手段
３ａ  長孔                        ３ｂ  支軸
【図１】
2004203586.tif 000003
【図２】
2004203586.tif 000004
【図３】
2004203586.tif 000005
【図４】
2004203586.tif 000006
【図５】
2004203586.tif 000007